【事件の表示】
　特願２００６−１３０４２６「ＤＭＢ視聴機能と共に通話機能を遂行するＤＭＢ受信端末機及び同時通話方法」拒絶査定不服審判事件〔平成１８年１１月３０日出願公開、特開２００６−３２５２０５〕について、次のとおり審決する。
【結　論】
　本件審判の請求は、成り立たない。
【理　由】
１．手続の経緯と本願発明
　本願は、平成１８年５月９日（パリ条約による優先権主張、２００５年５月１７日、大韓民国）の出願であって、平成２２年１２月２８日付けで拒絶査定がなされ、これに対し、平成２３年５月１１日に審判請求がなされたものであり、
　その特許請求の範囲の請求項１に係る発明（以下、「本願発明」という。）は、平成２２年４月５日付けの手続補正書により補正された明細書及び図面の記載からみて、その特許請求の範囲の請求項１に記載された以下のとおりのものと認める。
　
（本願発明）
　「ＤＭＢを視聴するためのＤＭＢモジュールと、移動通信機能を遂行するためのモデムモジュールとを備え、前記ＤＭＢモジュールと前記モデムモジュールとが個別的に動作可能なＤＭＢ受信端末機において、
　画像情報を出力するための画像出力経路と、可聴音を出力するための可聴音出力経路と、ユーザーのキー入力信号を入力するためのキー入力経路とを、前記ＤＭＢモジュール及び前記モデムモジュールの何れか一つに連結するようにスイッチングするＤＭＢ−モデムスイッチ部と、
　前記ユーザーの動作モードの選択に応じて、前記ＤＭＢ−モデムスイッチ部を制御して、前記動作モードに従うモジュールに前記画像出力経路と、前記可聴音出力経路と、前記キー入力経路とが連結されるように制御するＤＭＢ−モデムスイッチ制御部と、を備え、
　前記キー入力経路に連結されるキー入力部が、前記動作モードが移動通信を遂行するための移動通信モードの場合に、前記画像出力経路及び前記キー入力経路を、現在連結しているモジュールとは異なるモジュールに連結するための出力切換キーを備え、
　前記ＤＭＢ−モデムスイッチ制御部は、前記動作モードが前記移動通信モードの場合に、前記画像出力経路と、前記可聴音出力経路と、前記キー入力経路とが前記モデムモジュールに連結されていて、前記出力切換キーが入力されたときには、前記画像出力経路及び前記キー入力経路が前記ＤＭＢモジュールに連結されるように、前記ＤＭＢ−モデムスイッチ部を制御することを特徴とするＤＭＢ視聴機能と共に通話機能を遂行するＤＭＢ受信端末機。」
　
　
２．引用発明及び周知技術
（１）原審の拒絶理由に引用された国際公開第０３／０８１８７８号（以下、「引用例」という。）には、「通信装置及び通信方法」として図面とともに以下の事項が記載されている。
　
　イ．「技術分野
　本発明は電話機能とデジタル放送受信機能を併せ持つ通信装置及び電話音声データの送受信処理とデジタル放送の受信処理とを行う通信方法に関するものである。」
（１頁５〜８行目）
　
　ロ．「　実施の形態１．
　図１はこの発明の実施の形態１に係る携帯電話とデジタル放送受信のハイブリッド端末を示すものであり、図において１０１はデジタル放送チューナー部、１０２はデジタル放送復調部、１０３は多重伝送分離部、１０４は番組情報処理部であり、１０５は字幕・データ放送処理部であり、１０６はデジタル放送映像処理部、１０７はデジタル放送音声処理部、１０８は表示重畳部、１０９は音声パス切替制御部、１１０は表示出力部、１１１は音声出力部、１１２はイベント解析処理部、１１３は電話ＲＦ部、１１４は電話音声処理部、１１５は音声入力部、１１６は通話・終話ボタン、１１７はＣＰＵ、１１８はメモリである。
　デジタル放送チューナー部１０１は、映像データ、音声データ、字幕データ（文字データ）等が多重化されたデジタル放送波を受信する。デジタル放送チューナー部１０１は、多重データ受信部の例であり、また、デジタル放送チューナー部１０１が受信するデジタル放送波は、多重データの例である。
　デジタル放送復調部１０２は、デジタル放送チューナー部１０１で受信されたデジタル放送波に対する復調処理を行う。
　多重伝送分離部１０３は、多重化されているデータから該当するストリームやセクションデータを分離する（映像データ、音声データ等を抽出する）。デジタル放送処理では既知の技術なので詳細は記述しない。多重伝送分離部１０３は、所定の場合に、デジタル放送の音声データの分離停止と字幕データの分離開始を行う。なお、多重伝送分離部１０３は、抽出部の例である。また、多重伝送分離部１０３により分離された映像データは抽出映像データに相当し、音声データは抽出音声データに相当し、字幕データは抽出文字データに相当する。
　番組情報処理部１０４は、デジタル放送波で送出されてくる番組情報により放送番組に多重化されている映像データ、音声データ、字幕データ（文字データ）などのモノメディアやデータ放送の存在が判断でき、その分離情報を知ることができる。デジタル放送処理では既知の技術なので詳細は記述しない。また、番組情報処理部１０４は番組情報を参照して多重伝送分離部１０３へデジタル放送の音声データの分離停止と字幕データが存在する場合は字幕データの分離開始を指示する。また、字幕データが存在しない場合はデジタル放送の音声データの分離停止と消音の指示のみを行う。
　なお、番組情報処理部１０４は、後述するイベント解析処理部１１２とともに、指示部の例に相当する。
　字幕・データ放送処理部１０５は、字幕データやその他各種データを表示する際に必要なデータ処理（例えば、字幕データのデコード処理）を行う。
　デジタル放送映像処理部１０６は、映像データを表示する際に必要なデータ処理（例えば、映像データのデコード処理）を行う。
　デジタル放送音声処理部１０７は、音声データを出力する際に必要なデータ処理（例えば、音声データのデコード処理）を行う。また、所定の場合に、音声データの消音処理を行う。
　表示重畳部１０８は、異なる映像データを重畳したり、映像データに字幕データを重畳する機能を持つ。また、重畳した映像データや字幕データを表示出力部１１０に表示する。デジタル放送処理では既知の技術なので詳細は記述しない。
　表示出力部１１０は、表示重畳部１０８により重畳されたデータを表示する。
　音声パス切替制御部１０９は音声パス（音声出力部１１１への入力）を電話側又はデジタル放送音声側に切替え、音声を音声出力部１１１から出力させる。なお、音声パス切替制御部１０９は、切替制御部の例である。
　音声出力部１１１は、音声パスが電話側にあるときは、電話音声処理部１１４からの電話音声データを出力し、音声パスがデジタル放送音声側にあるときは、デジタル放送音声処理部１０７からの音声データを出力する。
　イベント解析処理部１１２は、利用者がデジタル放送の映像、音声を視聴中に電話の着信又は発信があった場合に、番組情報処理部１０４へデジタル放送音声の消音と字幕データの表示を指示する。また、イベント解析処理部１１２は、同時に音声パス切替制御部１０９へ音声パスを電話音声処理部の出力側へ切替えるよう指示する。更には、利用者がデジタル放送の視聴中に通話を終了した場合には、イベント解析処理部１１２は番組情報処理部１０４へデジタル放送の音声データの復帰と字幕データの消去を指示する。またイベント解析処理部１１２は音声パス切替制御部１０９へ音声パスをデジタル放送音声処理部１０７の出力側へ切替えるよう指示する。
　なお、イベント解析処理部１１２及び番組情報処理部１０４をあわせたものが指示部の例に相当する。
　電話ＲＦ部１１３、電話音声処理部１１４、音声入力部１１５及び通話・終話ボタン１１６は、電話機能を実現する要素であり、これらはあわせて電話部に相当する。
　また、本実施の形態に係るハイブリッド端末は、通信装置の例である。」
（１１頁１０行目〜１４頁６行目）
　
　ハ．「　次に動作について説明する。
まず、利用者がデジタル放送番組を視聴中に、電話の着信があった場合について説明する。
　この場合は、デジタル放送チューナー部１０１によりデジタル放送波が受信されており、また、多重伝送分離部１０３で、映像データ、音声データの分離処理が行われ、表示出力部１１０より映像データが出力され、音声出力部１１１より音声データが出力されている状態である。また、音声パス切替制御部１０９により音声パスはデジタル放送音声側に設定されている。
　利用者がデジタル放送番組を視聴中に、電話の着信があった場合は、電話ＲＦ部１１３がイベント解析処理部１１２へ着信イベントをあげる。
　イベント解析処理部１１２では、着信イベントを検知し、番組情報処理部１０４にデジタル放送音声の消音と字幕データの表示を指示する。同時に、イベント解析処理部１１２は、音声パス切替制御部１０９に対して指示メッセージ（受信電話音声データ切替指示）を送信し、音声パスを電話音声処理部１１４の出力側へ切替るよう指示する。
　番組情報処理部１０４は、番組情報を参照して多重伝送分離部１０３に対して指示メッセージを送信する。具体的には、デジタル放送の音声データの分離停止を指示する指示メッセージ（音声データ抽出停止指示）を送信し、更に、字幕データが存在する場合は、字幕データの分離開始を指示する指示メッセージ（文字データ抽出開始指示）を送信する。字幕データが存在しない場合には、デジタル放送の音声データの分離停止のみを指示する。
　多重伝送分離部１０３は、デジタル放送の音声データの分離停止と字幕データの分離開始を行い、デジタル放送音声処理部１０７は消音処理を行い、字幕・データ放送処理部１０５は字幕データをデコードする。
　表示重畳部１０８は映像データに字幕データを重畳し表示出力部１１０に表示する。
　また、音声パス切替制御部１０９は音声パスを電話側に切替える。
　利用者が通話・終話ボタン１１６を押すと、イベント解析処理部１１２が通話開始イベントを受け、電話ＲＦ部１１３に対して指示メッセージ（電話音声データ送受信開始指示）を送信して、電話音声データの送受信の開始を指示し、通話を開始させる。
　利用者がデジタル放送番組を視聴中に、利用者が電話の発信を行う場合も上述した処理と同様の処理を行う。
　つまり、利用者が通話・終話ボタン１１６を押すと、イベント解析処理部１１２が発信イベントを検知し、番組情報処理部１０４にデジタル放送音声の消音と字幕データの表示を指示する。同時に、イベント解析処理部１１２は、音声パス切替制御部１０９に対して指示メッセージ（受信電話音声データ切替指示）を送信し、音声パスを電話音声処理部１１４の出力側へ切替るよう指示する。
　そして、番組情報処理部１０４は、番組情報を参照して多重伝送分離部１０３に対してデジタル放送の音声データの分離停止を指示する指示メッセージ（音声データ抽出停止指示）及び、字幕データが存在する場合は、字幕データの分離開始を指示する指示メッセージ（文字データ抽出開始指示）を送信する。多重伝送分離部１０３は、デジタル放送の音声データの分離停止と字幕データの分離開始を行い、デジタル放送音声処理部１０７は消音処理、字幕・データ放送処理部１０５は字幕データのデコードを行う。
　表示重畳部１０８は映像データに字幕データを重畳し表示出力部１１０に表示する。
　また、音声パス切替制御部１０９は音声パスを電話側に切替える。
　また、イベント解析処理部１１２は、電話ＲＦ部１１３に対して指示メッセージ（電話音声データ送受信開始指示）を送信して、電話音声データの送受信の開始を指示し、通話を開始させる。
　次に、利用者が通話を終了した場合の動作を説明する。
　なお、この場合は、デジタル放送チューナー部１０１によりデジタル放送波が受信されており、また、多重伝送分離部１０３で、映像データ及び字幕データの分離処理は行われているが、音声データの分離処理は停止しており、表示出力部１１０より映像データ及び字幕データが出力されている状態である、また、電話ＲＦ部１１３、電話音声処理部１１４、音声入力部１１５により電話音声データの送受信が行われ、音声出力部１１１からは電話音声データが出力されている。更には、音声パス切替制御部１０９により音声パスは電話側に設定されている。
　利用者が通話・終話ボタン１１６を押すと、イベント解析処理部１１２が終話イベントを検知し、電話ＲＦ部１１３に対して指示メッセージ（電話音声データ送受信停止指示）を送信して、通話を終了させる。
　対話者（通話相手）が先に終話した場合は電話ＲＦ部１１３が終話イベントをイベント解析処理部１１２へあげる。
　また、同時に、イベント解析処理部１１２は、番組情報処理部１０４ヘデジタル放送の音声データの分離開始（デジタル放送音声の復帰）と字幕データの分離停止（字幕放送の消去）を指示する。更に、イベント解析処理部１１２は、音声パス切替制御部１０９に対して指示メッセージ（抽出音声データ切替指示）を送信し、音声パスをデジタル放送音声処理部１０７の出力側へ切替えるよう指示する。
　番組情報処理部１０４は、多重伝送分離部１０３に対して指示メッセージ（音声データ抽出開始指示及び文字データ抽出停止指示）を送信して、デジタル放送の音声データの分離開始と字幕データの分離停止を指示する。
　多重伝送分離部１０３は、デジタル放送の音声データの分離開始と字幕データの分離停止を行い、デジタル放送音声処理部１０７は音声デコード処理を開始し、字幕・データ放送処理部１０５は字幕データのデコードを停止する。
　この結果、表示重畳部１０８は、デジタル放送映像処理部１０６から出力された映像データのみを表示出力部１１０に表示する。
　イベント解析処理部１１２により指示メッセージを受信した音声パス切替制御部１０９は音声パスをデジタル放送音声側に切替え、デジタル放送の音声データを音声出力部１１１から出力させる。」
（１４頁７行目〜１７頁１７行目）
　
　ニ．「実施の形態３．
　図５はこの発明の実施の形態３に係る番組視聴予約可能な携帯電話とデジタル放送受信機のハイブリッド端末を示すものであり、図において１０１はデジタル放送チューナー部、１０２はデジタル放送復調部、１０３は多重伝送分離部、１０４は番組情報処理部であり、１０５は字幕・データ放送処理部であり、１０６はデジタル放送映像処理部、１０７はデジタル放送音声処理部、１０８は表示重畳部、１０９は音声パス切替制御部、１１０は表示出力部、１１１は音声出力部、１１２はイベント解析処理部、１１３は電話ＲＦ部、１１４は電話音声処理部、１１５は音声入力部、１１６は通話・終話ボタン、１１７はＣＰＵ、１１８はメモリ、３０１は視聴予約処理部である。
　視聴予約処理部３０１はデジタル放送波によって送出される番組情報を用いて番組の予定を解析し視聴予約をできる。デジタル放送処理では既知の技術なので詳細は記述しない。なお、視聴予約処理部３０１は、多重データ受信開始時刻管理部の例である。
　この発明の実施の形態３では、あらかじめ視聴予約されている番組が視聴予約処理部３０１の予約機能により開始するとき、視聴予約処理部３０１は、デジタル放送チューナー部１０１に対して受信開始を指示する（多重データ受信開始指示の送信）とともに、イベント解析処理部１１２に視聴開始イベントをあげ（多重データ受信開始通知の送信）、イベント解析処理部１１２は利用者が通話中か否かの判定、即ち、電話音声データの送受信が行われているか否かの判定を行う。
　利用者が通話中（電話音声データの送受信中）ならば、イベント解析処理部１１２は番組情報処理部１０４に対しデジタル放送音声の消音と字幕データの表示を指示する。また、イベント解析処理部１１２は、音声パス切替制御部１０９に音声パスの切替を指示せず、音声パスをそのまま電話側とする。なお、その他の処理は、実施の形態１と同じである。
　図６にデジタル放送視聴開始時のの制御フローを示す。
　運用としては実施の形態２で示したように通話はハンズフリーモードヘ移行して行われることが望ましい。
　このように構成された携帯電話とデジタル放送受信機のハイブリッド端末によれば、通話中に視聴予約されたデジタル放送番組が開始してもデジタル放送受信と電話の同時利用が可能となる。」
（１９頁７行目〜２０頁１４行目）
　
　上記引用例の記載及び関連する図面ならびにこの分野における技術常識を考慮すると、
　まず、引用例記載の「通信装置」は、上記イ．にあるように「電話機能とデジタル放送受信機能を併せ持つ通信装置」であって、
　具体的には上記ロ．図１、ニ．図５にあるような「ハイブリッド端末」であり、デジタル放送を視聴するためのデジタル放送受信機としての機能部分（図１，図５の１０１〜１０７、即ち、『デジタル放送受信機能部』）と、携帯電話としての機能部分（図１，図５の１１３〜１１５、即ち、『携帯電話機能部』）を備えてなり、
　上記ハ．冒頭に「デジタル放送番組を視聴中に、電話の着信があった場合」、また上記ニ．末尾に「通話中に視聴予約されたデジタル放送番組が開始してもデジタル放送受信と電話の同時利用が可能となる。」とあるように、「デジタル放送受信と電話の同時利用が可能」な端末である。
　
　また、上記ロ．（１３頁８〜１１行）に「音声パス切替制御部１０９は音声パス（音声出力部１１１への入力）を電話側又はデジタル放送音声側に切替え、音声を音声出力部１１１から出力させる。」とあるように、図１、図５の「音声パス切替制御部１０９」は、「音声パス」（即ち、『可聴音出力経路』）を前記両「機能部」の何れか一つに連結するための「切替制御部」であり、
　該「切替制御部」は、上記ロ．（１３頁１６〜２５行）、ニ．（２０頁３〜７行）にあるように、「視聴中」の発着信、「通話中」の予約視聴開始などのハイブリッド端末の『動作モード』に応じて、図１、図５の「イベント解析処理部１１２」の指示（制御）によって、前記「音声パス」（可聴音出力経路）を『動作モード』に対応する「機能部」と連結するよう切替を実行するものである。
　
　そして、特に上記ニ．図５記載の「実施の形態３．」には、「番組視聴予約可能な携帯電話とデジタル放送受信機のハイブリッド端末」の記載があって、
　上記ニ．１９頁２３〜２６行によれば、該「ハイブリッド端末」は、「視聴予約」に基づく視聴開始を指示する「視聴開始イベント」を、前記「イベント解析処理部１１２」にあげる「視聴予約処理部３０１」をも備えてなり、
　上記ニ．２０頁３〜８行によれば、該「視聴開始イベント」を受けた「イベント解析処理部」は、「利用者が通話中（電話音声データの送受信中）」（すなわち『携帯電話モード』）ならば、「音声パス切替制御部１０９に音声パスの切替を指示せず、音声パスをそのまま電話側とする」とあり、
　結局、このようにして視聴予約による「デジタル放送視聴」と共に、電話による「通話機能」を可能とするものであるから、引用例記載の「ハイブリッド端末」は『デジタル放送視聴機能と共に通話機能を遂行する』ものである。
　
　したがって、上記引用例には、以下の発明（以下、「引用発明」という。）が記載されている。
　
（引用発明）
　「デジタル放送を視聴するためのデジタル放送受信機能部と、携帯電話機能部とを備え、前記デジタル放送受信機能部と前記携帯電話機能部とが同時利用可能なハイブリッド端末において、
　可聴音を出力するための可聴音出力経路を、前記デジタル放送受信機能部及び前記携帯電話機能部の何れか一つに連結する切替制御部と、
　ハイブリッド端末の動作モードに応じて、前記切替制御部を制御して、前記動作モードに従う機能部に前記可聴音出力経路が連結されるように制御するイベント解析処理部と、を備え、
　視聴予約に基づく視聴開始を指示する視聴開始イベントをイベント解析処理部にあげる視聴予約処理部を備え、
　前記イベント解析処理部は、前記動作モードが前記携帯電話モードの場合に、前記可聴音出力経路が前記携帯電話機能部に連結されていて、前記視聴開始イベントが入力されたときには、可聴音出力経路をそのまま電話側とするように、前記切替制御部を制御するデジタル放送視聴機能と共に通話機能を遂行するハイブリッド端末。」
　
　
（２）例えば、国際公開第２００４−１１２３７２号（以下、「周知例１」という。）又は、特開２００５−４５７５３号公報（以下、「周知例２」という。）には以下の事項が開示されている。
　
（周知例１）
　イ．「[0017]　　Referring initially to the non-limiting preferred embodiment shown in Figure 1, a system 10 includes at least one mobile station 12 having at least one processor 14 and at least one base station (BTS) 16 transmitting digital multimedia streams and having a processor 18. In some implementations the BTS 16 may be a combined BTS and base station controller (BSC).
　
[0018]　　The preferred non-limiting BTS 16 uses wireless means, and more particularly uses code division multiple access (CDMA) principles. The streams can be broadcast or multicast to plural mobile stations 12 if desired, or transmitted using point-to-point wireless transmission principles, or multicast to groups of users. It is to be understood that the present principles apply to other forms of wireless communication such as GSM, TDMA, wideband CDMA, OFDM, etc. as well as transmission of multimedia over cable systems, the Internet, etc. As used herein in the  singular, multimedia stream means a single stream representing a single program, e.g., a single music piece or a single television show or movie potentially with accompanying text, images, etc.
　
[0019]　　In one non-limiting preferred implementation the system 10 is a code division multiple access (CDMA) system that, e.g., uses cdma2000, cdma2000 3x, or cdma2000 high data rate (HDR) principles, or other CDMA principles. In one non-limiting embodiment the mobile station 12 is a mobile telephone made by Kyocera, Samsung, or other manufacturer that uses Code Division Multiple Access (CDMA) principles and CDMA over-the-air (OTA) communication air interfaces.（以下省略）」
（４頁段落１７〜５頁段落１９）
　
（邦訳）
　「[0017]　　図１に示される限定されない好適実施形態を最初に参照して、システム１０は、少なくとも１つのプロセッサー１４を有する少なくとも１つの移動局１２と、デジタルマルチメディアストリームを送信し、プロセッサー１８を有する少なくとも１つの基地局（ＢＴＳ）１６を含む。いくつかの実施において、ＢＴＳ１６は結合したＢＴＳおよび基地局コントローラー（ＢＳＣ）であってもよい。
　
[0018] 　　好適な限定しないＢＴＳ１６は、無線手段を使用し、特に符号分割多元接続（ＣＤＭＡ）原理を使用する。所望であれば、ストリームは、複数の移動局１２にブロードキャストまたはマルチキャストすることができ、またはポイントツーポイント無線送信原理を用いて送信することができ、またはユーザーの複数グループにマルチキャストすることができる。この原理は、ＧＳＭ、ＴＤＭＡ、広域ＣＤＭＡ、ＯＦＤＭ、等のような無線通信の他の形態、並びにケーブルシステム、インターネット等を介してマルチメディアの送信に適用することが理解されるべきである。単数でここに使用されるように、「マルチメディアストリーム」は、単一のプログラム、例えば、添付テキスト、画像等を潜在的に備えた単一の音楽作品または単一のテレビジョンショーまたは映画を表す単一のストリームを意味する。
　
[0019]　　１つの限定しない好適実施形態において、システムは符号分割多元接続（ＣＤＭＡ）システムであり、ｃｄｍａ２０００、ｃｄｍａ２０００　３ｘ、またはｃｄｍａ２０００高データレート（ＨＤＲ）原理、または他のＣＤＭＡ原理を使用する。１つの限定しない実施形態において、移動局１２は、符号分割多元接続（ＣＤＭＡ）原理およびＣＤＭＡ無線（ＯＴＡ）通信エアーインターフェースを使用する、京セラ、サムスンまたは他の製造業者により製造された携帯電話である。（以下省略）」
　
（周知例２）
　イ．「【特許請求の範囲】
【請求項１】
　圧縮符号化されたオーディオ信号と映像信号が多重化され伝送されるデジタルマルチメディア信号を受信することができる移動端末において、
　音声通話のための無線信号を受信し、前記無線信号を符号化された信号に変換する無線受信部と、
　前記符号化された信号を電気的な音声信号に変換してスピーカーを通じて出力する音声処理部と、
　デジタルマルチメディア信号を受信し、前記デジタルマルチメディア信号から多重化されたオーディオ信号と映像信号を分離する逆多重化器と、
　前記分離されたオーディオ信号と映像信号を復号し、前記復号されたオーディオ信号と映像信号をそれぞれ前記スピーカーと表示部に提供する復号部と、
　前記デジタルマルチメディア信号の受信中に音声通話要求が発生する場合、前記復号部で前記オーディオ信号の復号が中止され、前記音声処理部から前記音声信号が前記スピーカーを通じて出力されるように制御する制御部と
からなることを特徴とする移動端末。」（２頁請求項１）
　
　ロ．「【０００２】
　最近、移動端末のマルチメディア化が加速化されながらデジタルマルチメディア放送(Digital Multimedia Broadcasting)を受信することができる機能が搭載された移動端末が開発されている。デジタルマルチメディア放送視聴が可能な移動端末は、通常の呼処理のための受信部とデジタルマルチメディア放送を受信するための受信部を別に構成する。従って、使用者はこのような移動端末を通じてデジタルテレビ放送を実時間に視聴することと同時に、音声通話のような通常の携帯電話サービスを利用することができる。」
（６頁段落２）
　
（周知技術１）
　例えば上記周知例１、２に開示されているように、
　「デジタルマルチメディア放送（即ち、ＤＭＢ）を受信可能な携帯電話」は周知である。
　
　
（３）例えば特開２００４−１１２８０６号公報（以下、「周知例３」という。）又は、特開２００４−１８７２６９号公報（以下、「周知例４」という。）には以下の事項が開示されている。
　
（周知例３）
　イ．「【００１３】
　以下、本発明に従う好適な一実施形態について添付図を参照しつつ詳細に説明する。下記の説明において、本発明の要旨のみを明瞭にする目的で、関連した公知機能又は構成に関する具体的な説明は省略する。
　図１は本発明の実施形態に従う携帯端末装置の構成を示す図である。ここで、前記携帯端末機は好ましくは携帯電話機(mobile telephone)であるが、これに限定されない。
　図１を参照すると、ＲＦ部２１は携帯用電話機の無線通信を遂行する。前記ＲＦ部２１は送信される信号の周波数を上昇変換及び増幅するＲＦ送信器と、受信される信号を低雑音増幅し周波数を下降変換するＲＦ受信器などを含む。データ処理部２３は前記送信される信号を符号化及び変調する送信器及び前記受信される信号を復調及び復号化する受信器などを含む。即ち、前記データ処理部２３はモデム(MODEM)及びコーデック(CODEC)で構成されることができる。オーディオ処理部２５は前記データ処理部２３から出力される受信オーディオ信号を再生するか、またはマイクから発生される送信オーディオ信号を前記データ処理部２３に伝送する機能を遂行する。
【００１４】
　キーパッド２７は数字及び文字情報を入力するためのキーと、各種機能を設定するための機能キーとを備える。また、前記キーパッド２７は本発明の実施形態に従ってテレビ映像信号を処理するための各種モード設定キーを備える。メモリ２９はプログラムメモリ及びデータメモリを含む。前記プログラムメモリは携帯用電話機の一般的な動作を制御する
ためのプログラム及び本発明の実施形態に従ってテレビ映像信号を処理するためのプログラムを貯蔵する。また、前記データメモリは前記プログラムの遂行中に発生されるデータを一時貯蔵する機能を遂行する。
【００１５】
　制御部１０は携帯用電話機の全般的な動作を制御する機能を遂行する。また、前記制御部１０は前記データ処理部２３を含むこともできる。本発明の実施形態に従って、前記制御部１０は前記キーパッド２７からモード設定変更時、映像処理部７０をテレビモードに設定し、前記設定されたテレビモードに応じて受信されるテレビ映像信号を表示するように制御する。」
（６頁段落１３〜７頁段落１５）
　
　ロ．「【００１８】
　前記表示部８０は通信モード時、前記制御部１０から出力されるデータを表示し、テレビモード時、前記映像処理部７０から出力されるテレビ映像データ及び使用者データをそれぞれ対応される領域に表示する。前記テレビモード時、前記表示部８０は前記映像処理部７０から出力されるテレビ映像信号を第１表示領域に表示し、使用者データを第２表示領域に表示する。ここで、前記表示部８０はＬＣＤ(Liquid Crystal Display)を使用することができ、このような場合、前記表示部８０はＬＣＤ制御部(ＬＣＤ controller)、映像データを貯蔵することができるメモリ、及びＬＣＤ表示素子などを設けることができる。ここで、前記ＬＣＤをタッチスクリーン(touch screen)方式に具現する場合、前記キーパッド２７と表示部８０は入力部になることができる。」（７頁段落１８）
　
　ハ．「【００５９】
　図６は本発明の実施形態に従うキーパッド２７及び表示部８０の構成例を示す図である。
　前記キーパッド２７の構成で、ＴＶオンキー(ＴＶ mode ON key)３１は携帯電話機をＴＶモードに設定するキーとして、使用者が待機モードでＴＶキーを長く押すと(long click)、制御部１０は前記キー入力をＴＶオンキーに感知する。画面調整キー(ＴＶ mode screen size key)３３は表示部８０に表示される画面の大きさ及び方向を変換させるキーとして、使用者が前記ＴＶモードの設定された状態で前記ＴＶキーを短く押すと(short click)、前記制御部１０は前記キー入力を画面調整キーに感知する。本発明の実施形態では前記ＴＶオン及び画面調整を一つのＴＶキーとして具現する例を挙げて説明しているが、前記ＴＶオンキーと画面調整キーをそれぞれ独立的に具現することもできる。使用者が前記ＴＶモードでＴＶ画面信号を表示する状態で確認キー、または撮影キーを押すと、前記制御部１０は前記キー入力を画面撮影キー３５に感知する。メニューキー３７はＴＶモードの設定及びＴＶモードが設定された状態でチャネル、画面及びタイマなどを調節する機能を遂行する。」（１７頁段落５９）
　
　ニ．「【００６６】
　前述したように受信されるＴＶ映像信号を表示する状態でチャネル変更キーが受信されると（段階７１９；ＹＥＳ）、前記制御部１０は７１５段階で現在チャネルを新たなチャネルに変更し、前記７１７段階の動作を反復遂行する。この時、チャネル変更のための方法は、ＴＶモードが遂行される状態で数字キーを利用してチャネル番号を直接入力するか、ナビゲーションキーの左右キーを利用して所望するチャネルを指定することができる。また、メニューモードを遂行する状態でチャネルを変更しようとする場合には、メニューで自動チャネルメニューを選択した後、ナビゲーションのアップダウンキーを利用して所望するチャネル番号を選択することができる。」
（１８頁段落６６）
　
（周知例４）
　イ．「【００３０】
　この実施形態における携帯機器のブロック図を図１に示す。この携帯機器は、テレビ放送の受信が可能な携帯電話であり、受信したテレビ放送を視聴したり、録画したり、録画したテレビ番号を再生して視聴することが可能である。
【００３１】
　図１に示すように、携帯機器は、携帯電話回線に接続して電波を送受信するための通信アンテナ１、この通信アンテナ１を通じて得られた受信信号をその通信形態に応じてデコードしたり、また送信する信号を通信形態に応じてエンコードして通信アンテナ１を通じて送信するための無線通信制御部２、受信した音声信号を音声として出力するためのスピーカ３、送信する音声信号を入力するためのマイク４、受信した音声信号をスピーカ出力可能な形式に変換したり、マイク４より入力された音声信号を送信可能な形式に変換するための音声回路５、携帯電話の機能を使用したり、種々のモードを設定操作したり、メール作成を行ったり、発呼、応答などの種々の端末操作を行うための操作部であるキー入力部６、上記操作のために必要な情報を表示するための表示部７、及び端末のシステムを制御し、種々のデータを処理する制御部８で構成されている。
【００３２】
　さらに、テレビ放送を受信するために、ＴＶ放送信号を受信するためのＴＶアンテナ１０、ＴＶアンテナ１０を介して受信したＴＶ信号から、所望の放送局を選択（チューニング）し、受信した放送信号を復調処理するための放送受信部１１を有している。受信したＴＶ放送を視聴するために、表示部７により画像を表示し、スピーカ３により音声を出力する。」
（６頁段落３０〜３２）
　
　ロ．「【００３６】
　次に、キー配置の第１の例を図２に示す。この図２に示すように、キー入力部は、十字キー（方向キー）２１、決定キー２２、Ｆキー２３、通話キー２４、ＴＶキー２５、電源キー２６及びテンキー２７を含んでいる。十字キー２１は、種々の入力操作を行う際に、カーソルを上下左右に移動させるため等に使用され、携帯電話ではよく知られているキーである。十字キー２１によって選択された項目を決定するために、決定キー２２が使用される。また、Ｆキー２３は各種の機能選択や、各種モードの設定に関する操作画面を読み出すために使用される。通話キー２４は、発呼の際や、着呼に応答する際に使用される。また、ＴＶキー２５を押下するとＴＶ放送の視聴処理が実行される（テレビ放送受信モードとなる）。電源キー２６は、電源のオン／オフを行うために使用される。
【００３７】
　テンキー２７は電話機能を使用する場合の電話番号入力や、メール作成の時に文字入力を行うために使用されており、このような情報入力技術自体は携帯電話分野において周知である。この発明では、このテンキー２７を、ＴＶ視聴時のチャネルキーとして使用し、従来のＴＶリモコンの操作と違和感なく使用するために、１〜９までのキーをそのまま１〜９までの選択チャネルに割り当てており、０キーには、１０チャネルを、＊には１１チャネルを、＃には１２チャネルを配置している。すなわち、前記制御部８は、テレビ放送受信モードでは、テンキー２７からの信号をテレビ放送受信のための操作信号（選局指令信号）として処理する。」
（７頁段落３６〜３７）
　
　例えば上記周知例３、４には、「テレビ視聴モード」（周知例３【００１８】の「テレビモード」、周知例４【００３７】の「テレビ放送受信モード」）、および通常の電話通信を行う「電話モード」（周知例３【００１８】の「通信モード」、周知例４にはモードとして明記はないが、携帯電話であるから当然の機能モードである。）を備え、
　「テレビ視聴モードを設定するキー」（周知例３【００５９】図６の「ＴＶオンキー(ＴＶ mode ON key)３１」、周知例４【００３６】図２の「ＴＶキー２５」）によってモードを切替え、「共用テンキー」、「表示装置」、「スピーカ」への入出力を制御する「携帯電話」が記載されている。
　したがって、以下の技術（以下、「周知技術２」という。）は周知である。
　
（周知技術２）
「テレビ視聴モードを設定するキーを備え、
　携帯電話が電話モードの場合、共用テンキーからの信号は電話機能部に入力され、表示装置には電話機能部からの発着信データが表示され、スピーカには通話音声が出力され、
　携帯電話がテレビ視聴モードの場合は共用テンキーからの信号は例えばチャンネルを選択するための信号としてテレビ視聴機能部に入力され、表示装置にはテレビ視聴機能部からの画像データが出力表示され、スピーカには番組の音声データが出力される携帯電話」
　
　
３．対比
　本願発明と引用発明とを対比する。
　
　まず、本願発明の「ＤＭＢを視聴するためのＤＭＢモジュール」と、引用発明の「デジタル放送を視聴するためのデジタル放送受信機能部」を対比すると、
　本願発明の「ＤＭＢ」とは「ディジタル・マルチメディア・ブロードキャスティング」（本願明細書【０００１】）であるから、「マルチメディア」の点を除き引用発明の「デジタル放送」と一致し、また、本願発明の「モジュール」は「機能部」であって視聴のため放送受信機能を有するのは明らかであるから、両者は「デジタル放送を視聴するためのデジタル放送受信機能部」の点で一致する。
　
　また、本願発明の「移動通信機能を遂行するためのモデムモジュール」と、引用発明の「携帯電話機能部」を対比すると、
　引用発明の「携帯電話機」も「移動通信機」であり、本願発明の「モデム」とは「MODEM:MOdulator-DEModulator（復変調装置）」のことであって、通信機能を遂行するための必須の構成であるのは技術常識であるから引用発明の「携帯電話機能部」も当然に有するものであり、両者は「移動通信機能部」の点で一致する。
　
　また、本願発明の「ＤＭＢ受信端末機」と、引用発明の「ハイブリッド端末」を対比すると、本願発明の「ＤＭＢ受信端末機」も「移動通信機能」を有するから、放送受信機能との混成（ハイブリッド）・複合機能を有する端末であり、両者は「複合端末」の点で一致する。
　
　そして、本願発明の「個別的に動作可能な」という構成と、引用発明の「同時利用可能な」という構成は、いずれも独立に動作している点で同じ構成であり、両者の間に実質的な差異はない。
　したがって、小括すると本願発明と引用発明は、「デジタル放送を視聴するためのデジタル放送受信機能部と、移動通信機能部とを備え、前記デジタル放送受信機能部と前記移動通信機能部とが個別的に動作可能な複合端末」の点で一致する。
　
　また、本願発明の「画像情報を出力するための画像出力経路と、可聴音を出力するための可聴音出力経路と、ユーザーのキー入力信号を入力するためのキー入力経路とを、前記ＤＭＢモジュール及び前記モデムモジュールの何れか一つに連結するようにスイッチングするＤＭＢ−モデムスイッチ部」と、
　引用発明の「可聴音を出力するための可聴音出力経路を前記デジタル放送受信機能部及び前記携帯電話機能部の何れか一つに連結する切替制御部」を対比すると、
　「スイッチングする」とは切り替えることであるから、本願発明の「ＤＭＢ−モデムスイッチ部」は「切替制御部」ということができ、両者は「所定の入出力経路を、前記デジタル放送受信機能部及び前記移動電話機能部の何れか一つに連結する切替制御部」である点で一致している。
　
　同様に、本願発明の「前記ユーザーの動作モードの選択に応じて、前記ＤＭＢ−モデムスイッチ部を制御して、前記動作モードに従うモジュールに前記画像出力経路と、前記可聴音出力経路と、前記キー入力経路とが連結されるように制御するＤＭＢ−モデムスイッチ制御部」と、
　引用発明の「ハイブリッド端末の動作モードに応じて、前記切替制御部を制御して、前記動作モードに従うモジュールに前記可聴音出力経路が連結されるように制御するイベント解析処理部」を対比すると、
　本願発明の「ＤＭＢ−モデムスイッチ制御部」も引用発明の「イベント解析処理部」も、「ＤＭＢ−モデムスイッチ部」（切替制御部）を端末の動作モードに応じて制御して経路の連結を制御する「経路制御部」であるということができ、
　両者は「複合端末の動作モードの選択に応じて、前記切替制御部を制御して、前記動作モードに従う機能部に所定の入出力経路が連結されるように制御する経路制御部」である点で一致している。
　
　また、本願発明の「前記キー入力経路に連結されるキー入力部が、前記動作モードが移動通信を遂行するための移動通信モードの場合に、前記画像出力経路及び前記キー入力経路を、現在連結しているモジュールとは異なるモジュールに連結するための出力切換キー」と、
　引用発明の「視聴予約に基づく視聴開始を指示する視聴開始イベントをイベント解析処理部にあげる視聴予約処理部」を対比すると、
　本願発明の「出力切換キー」のキー操作により発生し、キー入力経路に入力される信号は、「ＤＭＢ受信端末機」（複合端末）をデジタル放送視聴モードに設定するための「事象」（イベント）の発生を示す信号であるから、本願発明の「出力切換キー」は「イベント発生部」ということができ、
引用発明の「視聴予約処理部」も「視聴開始イベントをイベント解析処理部にあげる」のであるから、イベントを発生するので、
　両者は「複合端末をデジタル放送視聴モードに設定するためのイベント発生部」である点で一致している。
　
　そして、本願発明の「前記ＤＭＢ−モデムスイッチ制御部は、前記動作モードが前記移動通信モードの場合に、前記画像出力経路と、前記可聴音出力経路と、前記キー入力経路とが前記モデムモジュールに連結されていて、前記出力切換キーが入力されたときには、前記画像出力経路及び前記キー入力経路が前記ＤＭＢモジュールに連結されるように、前記ＤＭＢ−モデムスイッチ部を制御する」構成と、
　引用発明の「前記イベント解析処理部は、前記動作モードが前記携帯電話モードの場合に、前記可聴音出力経路が前記携帯電話機能部に連結されていて、前記視聴開始イベントが入力されたときには、可聴音出力経路をそのまま電話側とするように、前記切替制御部を制御する」構成を対比すると、
　本願発明の「ＤＭＢ−モデムスイッチ制御部」（経路制御部）も、最初「移動通信モード」の場合に、「可聴音出力経路」（音声パス）は「モデムモジュール」（電話側）に連結されていて、
「前記出力切換キーが入力されたとき」（イベント発生部の出力が入力されたとき）には、「可聴音出力経路」（音声パス）は「モデムモジュール」（電話側）に連結されたままに残される点において引用発明と同じ動作であるから、
　両者は「前記経路制御部は、前記動作モードが前記携帯電話モードの場合に、所定の入出力経路が前記携帯電話機能部に連結されていて、前記イベント発生部の出力が入力されたときには、所定の入出力経路をそのまま電話側とするように、前記切替制御部を制御する」構成である点で一致している。
　
　したがって、本願発明と引用発明は、以下の点で一致ないし相違する。
　
＜一致点＞
　「デジタル放送を視聴するためのデジタル放送受信機能部と、移動通信機能部とを備え、前記デジタル放送受信機能部と前記移動通信機能部とが個別的に動作可能な複合端末において、
　所定の入出力経路を、前記デジタル放送受信機能部及び前記移動電話機能部の何れか一つに連結する切替制御部と、
　複合端末の動作モードの選択に応じて、前記切替制御部を制御して、前記動作モードに従う機能部に所定の入出力経路が連結されるように制御する経路制御部と、を備え、
　複合端末をデジタル放送視聴モードに設定するためのイベント発生部を備え、
　前記経路制御部は、前記動作モードが前記携帯電話モードの場合に、所定の入出力経路が前記携帯電話機能部に連結されていて、前記イベント発生部の出力が入力されたときには、所定の入出力経路をそのまま電話側とするように、前記切替制御部を制御するデジタル放送視聴機能と共に通話機能を遂行する複合端末。」
　
＜相違点＞
（１）「デジタル放送を視聴するためのデジタル放送受信機能部」、「移動通信機能部」、「複合端末」に関し、
　本願発明はそれぞれ「ＤＭＢを視聴するためのＤＭＢモジュール」、「移動通信機能を遂行するためのモデムモジュール」、「ＤＭＢ受信端末機」であるのに対し、
　引用発明はそれぞれ「デジタル放送を視聴するためのデジタル放送受信機能部能部」、「携帯電話機能部」、「ハイブリッド端末」である点。
　
（２）「所定の入出力経路を、前記デジタル放送受信機能部及び前記移動電話機能部の何れか一つに連結する切替制御部」に関し、
　本願発明は「画像情報を出力するための画像出力経路と、可聴音を出力するための可聴音出力経路と、ユーザーのキー入力信号を入力するためのキー入力経路とを、前記ＤＭＢモジュール及び前記モデムモジュールの何れか一つに連結するようにスイッチングするＤＭＢ−モデムスイッチ部」であるのに対し、
　引用発明は「可聴音を出力するための可聴音出力経路を前記デジタル放送受信機能部及び前記携帯電話機能部の何れか一つに連結する切替制御部」である点。
　
（３）「複合端末の動作モードの選択に応じて、前記切替制御部を制御して、前記動作モードに従う機能部に所定の入出力経路が連結されるように制御する経路制御部」に関し、
　本願発明は「前記ユーザーの動作モードの選択に応じて、前記ＤＭＢ−モデムスイッチ部を制御して、前記動作モードに従うモジュールに前記画像出力経路と、前記可聴音出力経路と、前記キー入力経路とが連結されるように制御するＤＭＢ−モデムスイッチ制御部」であるのに対し、
　引用発明は「ハイブリッド端末の動作モードに応じて、前記切替制御部を制御して、前記動作モードに従う機能部に前記可聴音出力経路が連結されるように制御するイベント解析処理部」である点。
　
（４）「複合端末をデジタル放送視聴モードに設定するためのイベント発生部」に関し、
　本願発明は「前記キー入力経路に連結されるキー入力部が、前記動作モードが移動通信を遂行するための移動通信モードの場合に、前記画像出力経路及び前記キー入力経路を、現在連結しているモジュールとは異なるモジュールに連結するための出力切換キー」であるのに対し、
　引用発明は「視聴予約に基づく視聴開始を指示する視聴開始イベントをイベント解析処理部にあげる視聴予約処理部」である点。
　
（５）「前記経路制御部は、前記動作モードが前記携帯電話モードの場合に、所定の入出力経路が前記携帯電話機能部に連結されていて、前記イベント発生部の出力が入力されたときには、所定の入出力経路をそのまま電話側とするように、前記切替制御部を制御する」構成に関し、
　本願発明は「前記ＤＭＢ−モデムスイッチ制御部は、前記動作モードが前記移動通信モードの場合に、前記画像出力経路と、前記可聴音出力経路と、前記キー入力経路とが前記モデムモジュールに連結されていて、前記出力切換キーが入力されたときには、前記画像出力経路及び前記キー入力経路が前記ＤＭＢモジュールに連結されるように、前記ＤＭＢ−モデムスイッチ部を制御する」構成であるのに対し、
　引用発明は「前記イベント解析処理部は、前記動作モードが前記携帯電話モードの場合に、前記可聴音出力経路が前記携帯電話機能部に連結されていて、前記視聴開始イベントが入力されたときには、可聴音出力経路をそのまま電話側とするように、前記切替制御部を制御する」構成である点。
　
　
４．判断
（１）上記相違点（１）の「デジタル放送を視聴するためのデジタル放送受信機能部」、「移動通信機能部」、「複合端末」について検討する。
　まず「デジタル放送を視聴するためのデジタル放送受信機能部」について検討すると、特にデジタル放送に限らず一般に放送のマルチメディア化は従来から種々検討されていたことであるが、例えば上記周知例１、２に周知技術１として開示されているように「デジタルマルチメディア放送（即ち、ＤＭＢ）を受信可能な携帯電話」も周知である。
　当該周知技術を引用発明に適用する上での阻害要因は何ら見当たらないから、当該周知技術に基づいて、引用発明の「デジタル放送を視聴するためのデジタル放送受信機能部」を、本願発明のような「ＤＭＢ」対応とするのは当業者であれば適宜なし得ることであり、「機能部」としての回路部分を「モジュール」化するのも慣用手段であるから「ＤＭＢモジュール」とするのも格別のことではない。
　また、引用発明の「携帯電話機能部」、「ハイブリッド端末」を、本願発明のような「移動通信機能を遂行するためのモデムモジュール」、「ＤＭＢ受信端末機」とすることも、「携帯電話機能部」（移動通信機能部）が「移動通信機能を遂行する」のは当然のことであり、前記「３．対比」において検討した「移動通信機能部」、「複合端末」としての一致点の技術的内容、および上記マルチメディア化、モジュール化についての判断を勘案すれば格別の技術的意義のある相違点ではない。
　したがって、相違点（１）は格別のことではない。
　
（２）上記相違点（２）の「所定の入出力経路を、前記デジタル放送受信機能部及び前記移動電話機能部の何れか一つに連結する切替制御部」について検討する。
　一般にマルチメディア対応でなくとも端末機が、画像情報を表示出力するための表示部、ユーザーがキー入力信号するためのキー入力部、可聴音を出力するためのスピーカなどの可聴音出力回路、を有するのは特に例示するまでもなく広く知られたことであるが、引用例にも「表示出力部１１０」、「通話・終話ボタン１１６」、「音声出力部１１１」の開示（引用例図１，５）があって、
　さらに多少とも複雑な複数の機能を有する端末であれば、その「動作モード」にしたがって表示される画像情報の内容や、キー入力時の動作や出力音も変化するものであることも同様である。
　そして、例えば上記周知例３、４に周知技術２として開示されているように、
　「テレビ視聴モードを設定するキーを備え、携帯電話が電話モードの場合、共用テンキーからの信号は電話機能部に入力され、表示装置には電話機能部からの発着信データが表示され、スピーカには通話音声が出力され、携帯電話がテレビ視聴モードの場合は共用テンキーからの信号は例えばチャンネルを選択するための信号としてテレビ視聴機能部に入力され、表示装置にはテレビ視聴機能部からの画像データが出力表示され、スピーカには番組の音声データが出力される携帯電話」は周知である。
　ここで、当該周知技術２における画像データ、音声データ、共用テンキーからの信号等のデータや信号が携帯電話機内部において通過する「経路」は、ハードウェア的に固定された個別の信号線やスイッチの形態を取らないかもしれないが、動作モードに応じて例えばソフトウェア的に制御されるなどして、それぞれの信号経路が（機能的な）スイッチ部を介して適宜切り換えられて入出力されるものであることは当業者には自明のことである。
　そして、引用発明の「ハイブリッド端末」（複合端末）も当該周知技術２と同様な作用効果を奏するのであるから、当該周知技術２に基づいて、引用発明の「可聴音出力経路」に、引用発明では明示されていないキー入力部からの「キー入力経路」、及び表示装置へ至る「画像出力経路」の構成を追加し、その切替制御部をまとめて１つの「スイッチ部」として構成することにより、
　引用発明の「可聴音を出力するための可聴音出力経路を前記デジタル放送受信機能部及び前記携帯電話機能部の何れか一つに連結する切替制御部」の構成を、
　本願発明のような「画像情報を出力するための画像出力経路と、可聴音を出力するための可聴音出力経路と、ユーザーのキー入力信号を入力するためのキー入力経路とを、前記ＤＭＢモジュール及び前記モデムモジュールの何れか一つに連結するようにスイッチングするＤＭＢ−モデムスイッチ部」とする程度のことは当業者であれば適宜になし得ることである。
　したがって、相違点（２）も格別のことではない。
　
（３）上記相違点（３）の「複合端末の動作モードの選択に応じて、前記切替制御部を制御して、前記動作モードに従うモジュールに所定の入出力経路が連結されるように制御する経路制御部」、
　及び上記相違点（４）の「複合端末をデジタル放送視聴モードに設定するためのイベント発生部」、
　及び上記相違点（５）の「前記経路制御部は、前記動作モードが前記携帯電話モードの場合に、所定の入出力経路が前記携帯電話機能部に連結されていて、前記イベント発生部の出力が入力されたときには、所定の入出力経路をそのまま電話側とするように、前記切替制御部を制御する」構成について検討する。
　
　上記相違点（３）〜（５）をまとめて検討するに、
　まず、上記各相違点において対応する本願発明の構成に「可聴音出力経路」以外に「画像出力経路」、「キー入力経路」が含まれる点は、上記相違点（２）の判断において述べたように、周知技術２の適用により適宜なし得ることである。
　そして、上記周知技術２に開示された携帯電話には「テレビ視聴モードを設定するキー」が備えられており、周知技術２における「テレビ視聴モード」、「電話モード」間の動作モードの変更及び動作モードの変更に伴う入出力信号の切替が「ユーザー」による前記キーの操作に応じて実行されるものであることは当業者であれば自明のことである。
　一方、引用発明は「視聴予約に基づく」ものであるから、この切替を「視聴予約処理部」が例えばタイマーを用いて「視聴開始イベントをイベント解析処理部にあげる」ことにより自動実行するものであるが、自動実行に代えてユーザの任意の意志決定が可能な「手動」とすること自体は単なる設計的事項であり、当業者であれば容易になし得ることである。
　
　したがって、引用発明に周知技術２を適用することにより、引用発明の「ハイブリッド端末の動作モードに応じて、前記切替制御部を制御して、前記動作モードに従う機能部に前記可聴音出力経路が連結されるように制御するイベント解析処理部」（経路制御部）の構成を、
　明示されていない「キー入力経路」及び「映像出力経路」について構成を追加するとともに、「ユーザー」による手動モード選択として、本願発明のような「前記ユーザーの動作モードの選択に応じて、前記ＤＭＢ−モデムスイッチ部を制御して、前記動作モードに従うモジュールに前記画像出力経路と、前記可聴音出力経路と、前記キー入力経路とが連結されるように制御するＤＭＢ−モデムスイッチ制御部」（相違点３）という構成とする程度のことは当業者であれば容易になし得ることである。
　
　また、引用発明の「視聴予約に基づく視聴開始を指示する視聴開始イベントをイベント解析処理部にあげる視聴予約処理部」（イベント発生部）の構成を、従来より周知の手動の「出力切換キー」で代替することが容易なことであることは上記で説示したとおりであるが、
　このような「出力切換キー」が複数あるキーの１つとして「キー入力経路に連結されるキー入力部」に備えられることも、周知例３の図６、周知例４の図２にあるように通常のことであり、
　引用発明の「視聴予約処理部」（イベント発生部）の動作が「動作モードが移動通信を遂行するための移動通信モードの場合」に開始され得ることも、引用例の上記ニ．２０頁３行に「利用者が通話中（電話音声データの送受信中）ならば」とあるように引用発明でも想定されており、
　前記周知技術２には、前記キーの操作により「画像出力経路及びキー入力経路を、現在連結している機能部とは異なる機能部に連結する」ことも実質的に開示があるから、
　結局、引用発明の「視聴予約処理部」（イベント発生部）の構成を、本願発明のような「前記キー入力経路に連結されるキー入力部が、前記動作モードが移動通信を遂行するための移動通信モードの場合に、前記画像出力経路及び前記キー入力経路を、現在連結しているモジュールとは異なるモジュールに連結するための出力切換キー」とする（相違点４）程度のことも当業者であれば容易になし得ることである。
　
　そして、同様に引用発明の「前記イベント解析処理部は、前記動作モードが前記携帯電話モードの場合に、前記可聴音出力経路が前記携帯電話機能部に連結されていて、前記視聴開始イベントが入力されたときには、可聴音出力経路をそのまま電話側とするように、前記切替制御部を制御する」構成に、
　明示されていない「キー入力経路」及び「映像出力経路」の構成を追加するとともに、切替え対象の経路を明示的に指定することにより、本願発明のような「前記ＤＭＢ−モデムスイッチ制御部は、前記動作モードが前記移動通信モードの場合に、前記画像出力経路と、前記可聴音出力経路と、前記キー入力経路とが前記モデムモジュールに連結されていて、前記出力切換キーが入力されたときには、前記画像出力経路及び前記キー入力経路が前記ＤＭＢモジュールに連結されるように、前記ＤＭＢ−モデムスイッチ部を制御する」構成とする（相違点５）程度のことも当業者であれば適宜なし得ることである。
　
　また、上記各相違点に関して本願発明が奏する効果も、前記引用発明及び周知技術から当業者であれば容易に予測出来る範囲内のものである。
　
　
５．むすび
　以上のとおり、本願発明は、引用発明及び周知技術に基づいて当業者が容易に発明をすることができたものと認められるから、特許法第２９条第２項の規定により、特許を受けることができない。
　
　よって、結論のとおり審決する。